【手続補正書】
【提出日】平成18年3月24日(2006.3.24)
【手続補正１】
【補正対象書類名】明細書
【補正対象項目名】発明の名称
【補正方法】変更
【補正の内容】
【発明の名称】プリントシステム、プリント管理方法、代替プリント管理装置、プリント管理プログラム
【手続補正２】
【補正対象書類名】明細書
【補正対象項目名】特許請求の範囲
【補正方法】変更
【補正の内容】
【特許請求の範囲】
【請求項１】
クライアントからプリントサーバに発行した印刷ジョブに基づき該プリントサーバから該プリントサーバが管理するプリンタに対して前記印刷ジョブを出力することにより該印刷ジョブに対応したプリントを行うプリントシステムにおいて、
プリンタ毎の代替プリンタとその代替プリンタを管理する代替プリントサーバの情報を含む代替プリンタ情報を保持する代替プリンタ情報保持手段と、
前記クライアントからの前記代替プリンタ情報の問合せに対して前記代替プリンタ情報保持手段が保持する代替プリンタ情報を該クライアントに対して提供する代替プリンタ情報提供手段と
を有する代替プリント管理部
を具備し、
前記プリントサーバは、
前記印刷ジョブの出力エラーを検知する出力エラー検知手段と、
前記出力エラー検知手段により検知した前記印刷ジョブの出力エラーを前記クライアントに対して通知する出力エラー通知手段と
を具備し、
前記クライアントは、
前記プリントサーバから通知された出力エラーを取得する出力エラー取得手段と、
前記出力エラー取得手段により取得した出力エラーに基づき前記代替プリント管理部に対して代替プリンタ情報を問い合せる代替プリンタ情報問合手段と、
前記代替プリンタ情報問合手段による問い合わせにより前記代替プリント管理部から取得した代替プリンタ情報に基づき前記印刷ジョブを発行する印刷ジョブ発行手段と
を具備することを特徴とするプリントシステム。
【請求項２】
前記代替プリント管理部は、
前記クライアント、前記プリントサーバおよび前記代替プリントサーバが設けられるネットワーク上に設けられる
ことを特徴とする請求項１記載のプリントシステム。
【請求項３】
前記代替プリント管理部は、
前記クライアントに設けられる
ことを特徴とする請求項１記載のプリントシステム。
【請求項４】
前記代替プリント管理部は、
前記プリントサーバに設けられる
ことを特徴とする請求項１記載のプリントシステム。
【請求項５】
前記代替プリント管理部は、
前記クライアント、前記プリントサーバ、前記代替プリントサーバが設けられるネットワーク上の少なくとも２つの個所に設けられ、
前記代替プリンタ情報保持手段により保持される代替プリンタ情報は相互に同期して自動更新される
ことを特徴とする請求項１記載のプリントシステム。
【請求項６】
前記代替プリント管理部は、
前記クライアント、前記プリントサーバ、前記代替プリントサーバが設けられるネットワーク上の少なくとも２つの個所に設けられ、
前記代替プリンタ情報保持手段により保持される代替プリンタ情報は非同期にて手動更新される
ことを特徴とする請求項１記載のプリントシステム。
【請求項７】
前記代替プリント管理部は、
前記クライアントから問い合わせのあった代替プリンタ情報に基づき代替プリンタおよび該代替プリンタを管理する代替プリントサーバを特定する代替プリントサーバ特定手段
を有し、
前記印刷ジョブ発行手段は、
前記代替プリントサーバ特定手段により特定した代替プリントサーバに対して前記印刷ジョブを発行する
ことを特徴とする請求項１記載のプリントシステム。
【請求項８】
前記代替プリントサーバ特定手段は、
各プリンタに対応して代替プリンタを対応付けた静的リストに基づき前記代替プリンタおよび該代替プリンタを管理する代替プリントサーバを特定する
ことを特徴とする請求項７記載のプリントシステム。
【請求項９】
前記代替プリントサーバ特定手段は、
各プリンタの機能一覧を保持しており、該機能一覧に基づき前記代替プリンタおよび該代替プリンタを管理する代替プリントサーバを動的に特定する
ことを特徴とする請求項７記載のプリントシステム。
【請求項１０】
前記代替プリントサーバ特定手段は、
前記印刷ジョブの印刷条件に基づき前記代替プリンタおよび該代替プリンタを管理する代替プリントサーバを動的に特定する
ことを特徴とする請求項７記載のプリントシステム。
【請求項１１】
前記代替プリント管理部は、
前記クライアントから問い合わせのあった代替プリンタ情報に基づき代替プリンタおよび該代替プリンタを管理する代替プリントサーバを特定する代替プリントサーバ特定手段
を有し、
前記印刷ジョブ発行手段は、
前記代替プリント管理部を介して前記代替プリントサーバ特定手段により特定した代替プリントサーバに対して前記印刷ジョブを発行する
ことを特徴とする請求項１記載のプリントシステム。
【請求項１２】
クライアントからプリントサーバに発行した印刷ジョブに基づき該プリントサーバから該プリントサーバが管理するプリンタに対して前記印刷ジョブを出力することにより該印刷ジョブに対応したプリントを行うプリントシステムにおける代替プリント管理装置において、
各プリンタ毎の代替プリンタとその代替プリンタを管理する代替プリントサーバの情報を含む代替プリンタ情報を保持する代替プリンタ情報保持手段と、
前記クライアントからの前記代替プリンタ情報の問合せに対して前記代替プリンタ情報保持手段が保持する代替プリンタ情報を該クライアントに対して提供する代替プリンタ情報提供手段と
を具備する代替プリント管理装置。
【請求項１３】
クライアントからプリントサーバに発行した印刷ジョブに基づき該プリントサーバから該プリントサーバが管理するプリンタに対して前記印刷ジョブを出力することにより該印刷ジョブに対応したプリントを行うプリントシステムにおけるプリント管理方法において、
プリンタ毎の代替プリンタとその代替プリンタを管理する代替プリントサーバの情報を含む代替プリンタ情報を代替プリント管理部に保持し、
前記プリントサーバは、前記印刷ジョブの出力エラーを出力エラー検知手段により検知して、該印刷ジョブの出力エラーを出力エラー通知手段によりクライアントに対して通知し、
クライアントは、該プリントサーバから通知された出力エラーを出力エラー取得手段により取得して、
該取得した出力エラーに基づき前記代替プリント管理部に対して代替プリンタ情報を代替プリンタ情報問合手段により問い合せ、
該問い合わせにより前記代替プリント管理部から取得した代替プリンタ情報に基づき前記印刷ジョブを印刷ジョブ発行手段により発行する
ことを特徴とするプリントシステムにおけるプリント管理方法。
【請求項１４】
前記代替プリント管理部は、前記クライアント、前記プリントサーバ、前記代替プリントサーバが設けられるネットワーク上の少なくとも２つの個所に設けられ、
前記代替プリンタ情報は同期して自動更新される
ことを特徴とする請求項１３記載のプリント管理方法。
【請求項１５】
前記代替プリント管理部は、前記クライアント、前記プリントサーバ、前記代替プリントサーバが設けられるネットワーク上の少なくとも２つの個所に設けられ、
前記代替プリンタ情報は手動更新される
ことを特徴とする請求項１３記載のプリント管理方法。
【請求項１６】
前記代替プリント管理部は、前記クライアントから問い合わせのあった代替プリンタ情報に基づき代替プリントサーバ特定手段により代替プリンタおよび該代替プリンタを管理する代替プリントサーバを特定し、
該特定した代替プリントサーバに対して前記印刷ジョブを発行する
ことを特徴とする請求項１３記載のプリント管理方法。
【請求項１７】
前記代替プリントサーバ特定手段は、各プリンタに対応して代替プリンタを対応付けた静的リストに基づき前記代替プリンタおよび該代替プリンタを管理する代替プリントサーバを特定する
ことを特徴とする請求項１３記載のプリント管理方法。
【請求項１８】
前記代替プリントサーバ特定手段は、各プリンタの機能一覧を保持しており、該機能一覧に基づき前記代替プリンタおよび該代替プリンタを管理する代替プリントサーバを動的に特定する
ことを特徴とする請求項１６記載のプリント管理方法。
【請求項１９】
前記代替プリントサーバ特定手段は、前記印刷ジョブの印刷条件に基づき前記代替プリンタおよび該代替プリンタを管理する代替プリントサーバを動的に特定する
ことを特徴とする請求項１６記載のプリント管理方法。
【請求項２０】
前記代替プリント管理部は、前記クライアントから問い合わせのあった代替プリンタ情報に基づき代替プリントサーバ特定手段により代替プリンタおよび該代替プリンタを管理する代替プリントサーバを特定し、
該特定した代替プリントサーバに対して前記代替プリント管理部を介して前記印刷ジョブを発行する
ことを特徴とする請求項１３記載のプリント管理方法。
【請求項２１】
クライアントからプリントサーバに発行した印刷ジョブに基づき該プリントサーバから該プリントサーバが管理するプリンタに対して前記印刷ジョブを出力することにより該印刷ジョブに対応したプリントを行うプリントシステムにおけるプリント管理をコンピュータにて処理させるプリント管理プログラムにおいて、
プリンタ毎の代替プリンタとその代替プリンタを管理する代替プリントサーバの情報を含む代替プリンタ情報を代替プリント管理部に保持するステップと、
前記プリントサーバは、前記印刷ジョブの出力エラーを出力エラー検知手段により検知して、該印刷ジョブの出力エラーを出力エラー通知手段によりクライアントに対して通知するステップと、
クライアントは、該プリントサーバから通知された出力エラーを出力エラー取得手段により取得して、該取得した出力エラーに基づき前記代替プリント管理部に対して代替プリンタ情報を代替プリンタ情報問合手段により問い合せるステップと、
該問い合わせにより前記代替プリント管理部から取得した代替プリンタ情報に基づき前記印刷ジョブを印刷ジョブ発行手段により発行するステップと
を具備する
ことを特徴とするプリント管理プログラム。  
【請求項２２】
クライアントからプリントサーバに発行した印刷ジョブに基づき該プリントサーバから該プリントサーバが管理するプリンタに対して前記印刷ジョブを出力するプリントシステムにおける代替プリントをコンピュータにて処理させるプリント管理プログラムにおいて、
プリンタ毎の代替プリンタとその代替プリンタを管理する代替プリントサーバの情報を含む代替プリンタ情報を保持するステップと、
前記クライアントからの前記代替プリンタ情報の問い合わせに基づいて前記保持された代替プリンタ情報から決定した代替プリンタの代替プリンタ情報を前記クライアントに対して提出するステップと
を具備することを特徴とするプリント管理プログラム。
【手続補正３】
【補正対象書類名】明細書
【補正対象項目名】０００１
【補正方法】変更
【補正の内容】
【０００１】
【発明の属する技術分野】
この発明は、ネットワーク上で共有するプリンタを管理するプリントサーバにクライアント端末が印刷ジョブを発行して印刷を行うプリントシステムにおけるプリント管理に関し、特に、印刷先のプリンタあるいはそれを管理するプリントサーバが使用できない状態でも、代替プリンタを管理する別のプリントサーバに印刷ジョブを発行することにより代替印刷を行い、特に、印刷先のプリンタあるいはそれを管理するプリントサーバが使用できない状態でも、代替プリンタを管理する別のプリントサーバに印刷ジョブを発行することにより代替印刷を行うプリントシステム、プリント管理方法、代替プリント管理装置、プリント管理プログラムに関する。
【手続補正４】
【補正対象書類名】明細書
【補正対象項目名】０００７
【補正方法】変更
【補正の内容】
【０００７】
そこで、この発明は、プリンタあるいはプリントサーバが使用不可能な状態でも、別のプリントサーバに印刷ジョブを発行することで代替印刷を可能にするプリントシステム、プリント管理方法、代替プリント管理装置、プリント管理プログラムを提供することを目的とする。
【手続補正５】
【補正対象書類名】明細書
【補正対象項目名】００２７
【補正方法】変更
【補正の内容】
【００２７】
また、請求項２０の発明は、請求項１３の発明において、代替プリント管理部は、クライアントから問い合わせのあった代替プリンタ情報に基づき代替プリントサーバ特定手段により代替プリンタおよび代替プリンタを管理する代替プリントサーバを特定し、特定した代替プリントサーバに対して代替プリント管理部を介して印刷ジョブを発行することを特徴とする。
また、請求項２１の発明は、クライアントからプリントサーバに発行した印刷ジョブに基づき該プリントサーバから該プリントサーバが管理するプリンタに対して印刷ジョブを出力することにより該印刷ジョブに対応したプリントを行うプリントシステムにおけるプリント管理をコンピュータにて実行させるプリント管理プログラムであって、プリンタ毎の代替プリンタとその代替プリンタを管理する代替プリントサーバの情報を含む代替プリンタ情報を代替プリント管理部に保持するステップと、プリントサーバは、印刷ジョブの出力エラーを出力エラー検知手段により検知して、該印刷ジョブの出力エラーを出力エラー通知手段によりクライアントに対して通知するステップと、クライアントは、該プリントサーバから通知された出力エラーを出力エラー取得手段により取得して、該取得した出力エラーに基づき代替プリント管理部に対して代替プリンタ情報を代替プリンタ情報問合手段により問い合せるステップと、該問い合わせにより代替プリント管理部から取得した代替プリンタ情報に基づき印刷ジョブを印刷ジョブ発行手段により発行するステップとを具備することを特徴とする。  
また、請求項２２の発明は、クライアントからプリントサーバに発行した印刷ジョブに基づき該プリントサーバから該プリントサーバが管理するプリンタに対して印刷ジョブを出力するプリントシステムにおける代替プリントをコンピュータにて処理させるプリント管理プログラムにおいて、プリンタ毎の代替プリンタとその代替プリンタを管理する代替プリントサーバの情報を含む代替プリンタ情報を保持するステップと、クライアントからの代替プリンタ情報の問い合わせに基づいて保持された代替プリンタ情報から決定した代替プリンタの代替プリンタ情報をクライアントに対して提出するステップとを具備することを特徴とする。